(57)【要約】【課題】オペレータに対して操作上のストレスを少なくし、オペレータ毎に適した操作環境を提供できる磁気共鳴イメージング装置の実現を目的とする。【解決手段】被検体の画像を生成する磁気共鳴イメージング装置１であって、前記磁気共鳴イメージング装置１は、撮影装置本体２と、前記撮影装置本体２に接続する制御装置３と、前記制御装置３に接続する操作部４及び表示部５と、を有し、前記操作部４の操作のパターン設定をオペレータ毎に変更可能とする。【選択図】図１
2008012116.tif 000002
【特許請求の範囲】
【請求項１】
被検体の画像を生成する磁気共鳴イメージング装置であって、
前記磁気共鳴イメージング装置は、
撮影装置本体と、前記撮影装置本体に接続する制御装置と、前記制御装置に接続する操作部及び表示部と、
を有し、
前記操作部の操作のパターン設定をオペレータ毎に変更可能な、
磁気共鳴イメージング装置。
【請求項２】
前記制御装置に記憶されたオペレータ毎の前記操作部の操作のパターン設定についてのデータに基づいた前記操作部の操作により前記被検体の画像が生成される請求項１に記載の磁気共鳴イメージング装置。
【請求項３】
前記操作部の操作についての情報は、前記制御装置の制御により前記表示部に表示される請求項２に記載の磁気共鳴イメージング装置。
【請求項４】
前記オペレータが前記磁気共鳴イメージング装置を操作する上で必要な前記操作部の操作についての情報のみが前記表示部に表示される請求項２または請求項３に記載の磁気共鳴イメージング装置。
【請求項５】
前記オペレータが前記磁気共鳴イメージング装置を操作する上での重要度に応じて、前記表示部に表示される前記操作部の操作についての情報の配列を変更する請求項２から請求項４のいずれか一項に記載の磁気共鳴イメージング装置。
【請求項６】
前記操作部の操作についての情報は、前記オペレータが前記磁気共鳴イメージング装置を操作する上で参照するべき情報である請求項２から請求項５のいずれか一項に記載の磁気共鳴イメージング装置。
【請求項７】
前記磁気共鳴イメージング装置は前記制御装置に接続する音声出力部を有し、前記操作部の操作についての情報は、前記表示部に表示されることに代えて、または、前記表示部に表示されるとともに、前記制御装置の制御により前記音声出力部に音声出力される請求項３から請求項６のいずれか一項に記載の磁気共鳴イメージング装置。
【請求項８】
前記操作部の操作パターンに基づいた前記操作部の操作に対応して、前記表示部に表示される前記被検体の撮影画像が変化する請求項２から請求項７のいずれか一項に記載の磁気共鳴イメージング装置。
【請求項９】
前記制御部は、オペレータが前記操作部に入力した情報に基づき、前記オペレータを識別する請求項１から請求項８のいずれか一項に記載の磁気共鳴イメージング装置。
【請求項１０】
前記制御部は、オペレータが前記操作部に入力した情報に基づき、被検体の画像のデータの転送先を変更する請求項１から請求項９のいずれか一項に記載の磁気共鳴イメージング装置。
【発明の詳細な説明】
【技術分野】
【０００１】
本発明は、磁気共鳴イメージング（ＭＲＩ：Ｍａｇｎｅｔｉｃ  Ｒｅｓｏｎａｎｃｅ  Ｉｍａｇｉｎｇ）装置に関するものである。また、本発明はオペレータの操作環境を改善できる磁気共鳴イメージング装置に関するものである。
【背景技術】
【０００２】
磁気共鳴イメージング装置などの画像診断装置は、被検体の断層面についてのスライス画像を撮影する装置として知られており、医療用途、産業用途などのさまざまな分野において利用されている。
【０００３】
たとえば、磁気共鳴イメージング装置を用いてスライス画像を撮像する際においては、まず、静磁場が形成された空間内に被検体を収容し、生体である被検体内のプロトン（ｐｒｏｔｏｎ）のスピンの方向を、静磁場の方向へ整列させて、磁化ベクトルを得た状態にする。その後、ＲＦコイルから共鳴周波数の電磁波を被検体に照射することにより、核磁気共鳴現象を発生させて被検体のプロトンの磁化ベクトルを変化させる。そして、磁気共鳴イメージング装置は、元の磁化ベクトルへ戻る被検体のプロトンからの磁気共鳴信号をＲＦコイルで受信し、その受信した磁気共鳴信号に基づいてスライス画像を生成する（例えば、特許文献１を参照）。
【０００４】
【特許文献１】特開２００２−１６５７７５号公報
【発明の開示】
【発明が解決しようとする課題】
【０００５】
ここで、磁気共鳴イメージング装置は、撮影装置本体と、撮影装置本体に接続する制御装置と、制御装置に接続する操作部及び表示部などをその構成に含んでいる。
【０００６】
撮影装置本体は、被検体が乗せられるテーブルと、被検体に磁場を印加する磁石を格納しているガントリと、を主要部分としている。制御装置は、以下のように撮影装置本体の制御を主に行う。そして、操作部は、キーボードやマウスなどからなっており、オペレータにより磁気共鳴イメージング装置の操作上必要な情報を入力する。また、表示部は、ディスプレイからなっており、撮影装置本体が撮影した被検体のスライス画像や、オペレータが磁気共鳴イメージング装置を操作する上で、必要な操作部の操作についての情報を表示する。
【０００７】
撮影装置本体により被検体の撮影を行う際には制御装置により、ガントリ内の勾配コイルに被検体のスライス選択方向に勾配磁場を印加する制御や、同ガントリ内のＲＦコイルが被検体に共鳴周波数の電磁波を照射し、被検体のプロトンからの共鳴磁気信号を受信する制御が行われる。制御装置は、そのための制御データを勾配コイルやＲＦコイルに送る。
【０００８】
なお、制御データは、磁気共鳴イメージング装置のオペレータが操作部において、被検体の撮影部位を指定することにより制御装置内のコンピュータが計算して算出する。表示部は、ＲＦコイルが受信した共鳴磁気信号が制御装置によりエンコードされることにより得られた被検体のスライス画像を表示する。
【０００９】
以上の構成からなる従来の磁気共鳴イメージング装置には例えば以下のような問題があった。
まず、磁気共鳴イメージング装置を使用して、被検体の断層面についてのスライス画像を撮影する場合は、通常は被検体の複数個所のスライス画像を撮影する。そのとき、撮影に先立って、被検体のスライス計画の情報が表示部において自動的に表示される。そして、オペレータがその情報の確認を行った後、操作部を操作して撮影開始の指示を出すと、制御装置はスライス計画にしたがって被検体のスライス画像撮影の制御を撮影装置本体に対して行う。
【００１０】
かかる表示部におけるスライス計画の情報の表示は、撮影に先立って、画一的に行われるものであり、熟練者のオペレータにとってはスライス計画を概ね理解しているので、表示部におけるスライス計画の情報の表示は不要である場合が多い。また、スライス計画の情報の表示している間の時間はタイムロスになり、迅速な撮影に支障をきたす場合もあった。
【００１１】
スライス計画にしたがって被検体のスライス画像の撮影を行う場合は、勾配磁場を印加する制御や、ＲＦコイルが被検体に共鳴周波数の電磁波を照射し、被検体のプロトンからの共鳴磁気信号を受信する制御が行われることにより、撮影が行われるが、その過程において表示部に、オペレータが操作をすべき情報の項目が順次表示されることになる。オペレータはそれらの情報の項目にしたがって、操作部の操作を行う。
【００１２】
その際、初心者のオペレータに対して、表示部にこれから操作部の操作をする上での情報を目立たせる表示や、別途設けられた音声出力装置において音声ガイダンスを流すこともできる。しかし、熟練者のオペレータにとってはそのような表示や音声ガイダンスは不要であり、かえって操作部の操作上煩わしい場合も多い。
【００１３】
また逆に、磁気共鳴イメージング装置の操作は煩雑である場合もあり、表示部にオペレータが操作部の操作をすべき情報の項目が余りに多数あると、初心者のオペレータにとっては、どの項目が操作部の操作上重要な項目であるかの判断が困難であり、操作に戸惑う場合もある。
【００１４】
スライス計画にしたがって、被検体のスライス画像の撮影が行われると、撮影が完了したスライス画像が表示部において表示される。ここで、オペレータは表示部において表示されたスライス画像の明るさやサイズの変更を行って、読影しやすいように、操作部の操作を行う。例えば、キーボードに数値を入力して、画像の明るさやサイズの指定をする。もしくは、表示部の表示画面上に表示されたメニューのタイトル上でマウスのボタンをクリックしたまま、マウスを滑らして画像の明暗や、画像のサイズの大小を変化させる。
【００１５】
しかし、画像の明るさやサイズの指定を行う場合、マウスを滑らすべき方向などが既に画一的に決まっているので、オペレータはその決まった方向にマウスを滑らす必要があり、オペレータによっては、操作上違和感を覚える場合もあった。すなわち、操作部を操作する上でその操作パターン（ここでは、画像の明るさやサイズを指定するという機能を実現するために必要なマウスを動かす方向のパターン。）の設定が画一的に決まっているためである。
【００１６】
そこで、本発明が解決しようとする課題は、オペレータに対する操作上のストレスを少なくし、オペレータ毎に適した操作環境を提供できる磁気共鳴イメージング装置の実現を目的とする。
【課題を解決するための手段】
【００１７】
上記目的を達成するために本発明は、被検体の画像を生成する磁気共鳴イメージング装置であって、前記磁気共鳴イメージング装置は、撮影装置本体と、前記撮影装置本体に接続する制御装置と、前記制御装置に接続する操作部及び表示部と、を有し、前記操作部の操作のパターン設定をオペレータ毎に変更可能である。
【００１８】
そのために、本発明の磁気共鳴イメージング装置は、前記制御装置に記憶されたオペレータ毎の前記操作部の操作のパターン設定についてのデータに基づいた前記操作部の操作により前記被検体の画像が生成される。
【００１９】
前記操作部の操作についての情報は、前記制御装置の制御により前記表示部に表示される、ようにしてもよい。
【００２０】
好ましくは、前記オペレータが前記磁気共鳴イメージング装置を操作する上で必要な操作パターンについての情報のみが前記表示部に表示される。
【００２１】
より好ましくは、前記オペレータが前記磁気共鳴イメージング装置を操作する上での重要度に応じて、前記表示部に表示される前記操作部の操作についての情報の配列を変更する。
【００２２】
また、前記操作部の操作についての情報は、前記オペレータが前記磁気共鳴イメージング装置を操作する上で参照するべき情報である。
【００２３】
さらに、前記磁気共鳴イメージング装置は前記制御装置に接続する音声出力部を有し、前記操作部の操作についての情報は、前記表示部に表示されることに代えて、または、前記表示部に表示されるとともに、前記制御装置の制御により前記音声出力部に音声出力される。
【００２４】
また、前記操作部の操作パターンに基づいた前記操作部の操作に対応して、前記表示部に表示される前記被検体の撮影画像が変化する、ようにする。
【００２５】
本発明の磁気共鳴イメージング装置は、前記制御部は、オペレータが前記操作部に入力した情報に基づき、前記オペレータを識別する。
【００２６】
また、本発明の磁気共鳴イメージング装置は、前記制御部は、オペレータが前記操作部に入力した情報に基づき、被検体の画像のデータの転送先を変更する。
【発明の効果】
【００２７】
本発明の磁気共鳴イメージング装置によれば、オペレータ毎に適した操作環境を提供できる。
【発明を実施するための最良の形態】
【００２８】
以下、本発明に係る１実施形態を図１〜図１１に基づいて説明する。
図１は磁気共鳴イメージング装置１の構成を示したものである。
図１に示した磁気共鳴イメージング装置１は、電波シールドされた撮影室１０１に設置された撮影装置本体２と、撮影室１０１外に設置された制御装置３と、操作部４と、表示部５と、を構成機器としている。
【００２９】
撮影装置本体２は、被検体が乗せられるテーブルと、被検体に磁場を印加する磁石を格納しているガントリを有している。制御装置３は、撮影装置本体２により被検体の撮影を行う際に、ガントリ内の勾配コイルに被検体のスライス選択方向に勾配磁場を印加する制御や、同ガントリ内のＲＦコイルが被検体に共鳴周波数の電磁波を照射し、被検体のプロトンからの共鳴磁気信号を受信する制御、その他の情報処理を行う。
【００３０】
操作部４は、キーボードやマウスなどの入力機器によりに構成されている。そして、操作部４はそのため制御データを制御装置３に送る。制御データは、磁気共鳴イメージング装置１のオペレータが操作部４において被検体の撮影部位等を指定することにより制御装置３のコンピュータが計算して算出する。表示部５は、液晶ディスプレイなどの表示装置により構成されている。表示部５は、ＲＦコイルが受信した共鳴磁気信号が制御装置３によりエンコードされることにより得られた被検体のスライス画像を表示する。また、表示部５はオペレータが磁気共鳴イメージング装置を操作する上で必要な操作部４の操作についての情報を表示する。
【００３１】
図２は、図１に示した磁気共鳴イメージング装置１の撮影装置本体２、制御装置３、操作部４、表示部５における互いの接続関係を示すものである。
撮影装置本体２は、制御装置３と互いに接続している。制御装置３は撮影装置本体２に対して、ガントリ内の勾配コイルに被検体のスライス選択方向に勾配磁場を印加、及び、同ガントリ内のＲＦコイルが被検体に共鳴周波数の電磁波を照射、についての制御データを送る。そして、撮影装置本体２は制御装置３に対して被検体のプロトンからの共鳴磁気信号の受信データを送る。
【００３２】
また、制御装置３には操作部４が接続する。これにより、操作部４は制御装置３に対してオペレータが指定する被検体の撮影部位の情報、その他の情報を送ることができる。そして、制御装置３には表示部５が接続する。これにより、制御装置３が作動し、ＲＦコイルが受信した共鳴磁気信号を制御装置３のコンピュータがエンコードされることにより得られた信号が表示部５に対して送られ、表示部５には、被検体のスライス画像が表示される。
【００３３】
ここで、制御装置３は、演算部６と、演算部６に接続する記憶部７と、を有している。なお、演算部６と記憶部７は、通常の電子計算機が有する演算部と記憶部と同様の原理で動作する。かかる構成により、上記制御やエンコード、及びその他の情報処理を行うことができるようになる。
【００３４】
また、制御装置３には、スピーカなどからなる音声出力部８が接続されている。これにより、制御装置３の演算部６と記憶部７とが共同して作動することにより、所定の音声を音声出力部８により出力させることができる。さらに、制御装置３には、通信回線９が接続されている。これにより、制御装置３の演算部６の制御にしたがって、記憶部７に記憶されたデータを他の制御装置や電子計算機に送信したり、他の制御装置や電子計算機からのデータを制御装置３が受信することができるようになる。
【００３５】
磁気共鳴イメージング装置１は、操作部４の操作に基づいて、被検体の画像を生成し、生成した画像を表示部５に表示する。本発明においては、操作部４の操作のパターン設定をオペレータ毎に変更できるようにしている。
【００３６】
具体的な例を挙げて説明する。
図１に示した磁気共鳴イメージング装置１のオペレータを甲、乙、丙の三者とする。ここで、オペレータ甲は熟練者とし、オペレータ乙とオペレータ丙は初心者とする。
【００３７】
図２に示した制御装置３内の記憶部７には、オペレータ甲、乙、丙のそれぞれについての操作部４における操作のパターン、及び、表示部５の表示態様のデータが記憶されている。例えば、図３に示したようなデータの配列を記憶部７に記憶させる。
【００３８】
図３で示したデータの配列の横方向においては、オペレータ名の項目、操作部４の操作のパターンの項目、及び、表示部５の表示態様の項目、の３つの項目についての凡例が示されている。
そして、オペレータ名の項目には、甲、乙、丙の３名が登録されている。図３で示したデータの配列の縦方向においては、上記操作部４の操作のパターンの項目、及び、表示部５の表示態様の項目についての甲、乙、丙の３名についてのパターンが登録される。
【００３９】
すなわち、操作部４の操作のパターンの項目には、甲についてはパターンＡ，乙についてはパターンＢ，丙についてはパターンＣが登録されている。また、表示部５の表示態様の項目には、甲についてはパターンＸ，乙についてはパターンＹ，丙についてはパターンＺが登録されている。なお、パターンＡ，Ｂ，Ｃ，Ｘ，Ｙ，Ｚの具体的な内容については後述する。
【００４０】
磁気共鳴イメージング装置１の操作を行う場合は、オペレータは操作部４を操作して、制御装置３の演算部６が記憶部７に記憶されたデータに基づいてオペレータを認識できるようにする。こうすることで、制御装置６は認識したオペレータについての記憶部７に登録された情報を参照できるようになる。
制御装置３の演算部６が磁気共鳴イメージング装置１を操作するオペレータを認識した後、実際の被検体の画像の生成が開始される。
【００４１】
ここで、磁気共鳴イメージング装置１を用いて被検体を本スキャンする前に、本スキャンを実施するスライス位置を決定するために、位置決めスキャンを事前に実施して、位置決め画像を生成し表示部５に表示する。
【００４２】
たとえば、被検体のアキシャル面とサジタル面とコロナル面とのスライスについての位置決め画像を生成して表示部５において表示する。そして、その位置決め画像をオペレータが観察し、操作部４を操作することにより本スキャンするスライス位置を設定する。そして、その設定した被検体のスライス位置について本スキャンを実施し、その本スキャンによって被検体から得られた磁気共鳴信号に基づいて、本スキャン画像を生成する。
【００４３】
しかし、位置決めスキャンを実施して、本スキャンするスライス位置を再度設定することは、時間がかかり、例えば熟練者のオペレータ甲にとっては、それが不要な場合がある。そのため、制御装置３内の記憶部７に記憶された操作部４の操作のパターンの甲についてのパターンＡでは、スライス位置を設定する項目を無くすことができる。また、表示部５の表示態様の甲についてのパターンＸでは、位置決め画像を表示させる項目を無くすことができる。
【００４４】
一方で、初心者のオペレータ乙、丙は、位置決めスキャンを実施して、本スキャンするスライス位置を設定することが必要となると考えられる。そのため、制御装置３内の記憶部７に記憶された操作部４の操作のパターンの乙、丙についてのパターンＢ，Ｃでは、スライス位置を設定する項目を設ける。また、表示部５の表示態様の乙、丙についてのパターンＹ，Ｚでは、位置決め画像を表示させる項目を設ける。
【００４５】
本スキャンが実施されると、表示部５に被検体のスライス画像が表示される。図４に被検体のスライス画像が表示された表示部５の例を示した。図４の例では、被検体のスライス画像１０と、スライス画像１０の加工を行うためにいくつかの加工態様を示す複数のアイコン１１ａ，１１ｂ，１１ｃ，１１ｄが示されている。オペレータは表示部５に表示されたこれらのアイコンの情報を見ながら、操作部４の操作を行い画像の加工を行うことができる。この際、アイコン１１は操作部４を操作する上で、オペレータが参照する操作部４の操作についての情報となる。
【００４６】
例えば、アイコン１１ａは、表示画像の輝度値を調整する、ウインドウ値（ＷＬ：Ｗｉｎｄｏｗ  Ｌｅｖｅｌ）のアイコンであり、アイコン１１ｂは、ウインドウ値を中心とする階調の範囲を決定するウインドウ幅（ＷＷ：Ｗｉｎｄｏｗ  Ｗｉｄｔｈ）のアイコンとすることができる。そして、アイコン１１ｃは、スライス画像１０が複数ある場合にそれらの画像を表示部５において表示する配列を決めるソーティングのアイコンとすることができる。また、アイコン１１ｄは、後で説明するスライス画像１０のデータを他の制御装置や電子計算機に転送するためのアイコンとすることができる。
【００４７】
これらのアイコン１１は、例えば、操作部４のマウスのカーソルを当該アイコン１１上に持っていき、マウスのボタンを押した状態でマウスを滑らしたり、或いは、マウスのボタンを押すことにより、制御装置３の演算部６が情報処理を行い、機能させることができる。
【００４８】
例えば、ＷＬを調整するアイコン１１ａを機能させるために、操作部４の操作を行うことを考える。そのために、マウスのカーソルをアイコン１１ａ上に持っていき、マウスのボタンを押した状態でマウスを滑らす。
【００４９】
ここで、熟練者のオペレータ甲は、マウスを上側に滑らした場合にはスライス画像１０の輝度がアップし、マウスを下側に滑らした場合には輝度がダウンするような、マウス操作のパターン設定を行うことができる。すなわち、図５（ａ）に示したように、マウス１２を持った手１３を奥側（上側）に動かした場合は、スライス画像１０の輝度がアップし、図５（ｂ）に示したように、手１３を手前側（下側）に動かした場合は、スライス画像１０の輝度がダウンするように、マウス操作のパターン設定をする。この設定を、制御装置３内の記憶部７に記憶された操作部４のマウスについての操作パターンの甲のパターンＡ中に設定する。
【００５０】
初心者のオペレータ乙も、甲と同じような設定を希望する場合は、制御装置３内の記憶部７に記憶された操作部４のマウスについての操作方法の項目をパターンＢに設けることができる。一方で、初心者のオペレータ丙については所望により、マウスを上側に滑らした場合にはスライス画像１０の輝度がダウンし、マウスを下側に滑らした場合には輝度がアップするような、マウス操作のパターン設定を行うことができる。
【００５１】
すなわち、図６（ａ）に示したように、マウス１２を持った手１３を奥側（上側）に動かした場合は、スライス画像１０の輝度がダウンし、図６（ｂ）に示したように、手１３を手前側（下側）に動かした場合は、スライス画像１０の輝度がアップするように、マウス操作のパターン設定をする。そのために、制御装置３内の記憶部７に記憶された操作部４のマウス操作のパターンの丙のパターンＣにかかる設定を設けることができる。
【００５２】
また、ＷＷを調整するアイコン１１ｂを機能させるために、操作部４の操作を行うことを考える。そのために、マウスのカーソルをアイコン１１ｂ上に持っていき、マウスのボタンを押した状態でマウスを滑らす。
【００５３】
ここで例えば、熟練者のオペレータ甲は、マウスを上側に滑らした場合にはスライス画像１０のＷＷが広くなり、マウスを下側に滑らした場合にはＷＷが狭くなるような、マウス操作のパターン設定を行うことができる。すなわち、図７（ａ）に示したように、マウス１２を持った手１３を奥側（上側）に動かした場合は、スライス画像１０のＷＷが広くなり、図７（ｂ）に示したように、手１３を手前側（下側）に動かした場合は、スライス画像１０のＷＷが狭くなるように、マウス操作のパターン設定をする。そのためには、制御装置３内の記憶部７に記憶された操作部４のマウス操作のパターンのパターンＡにかかる設定についての項目を設けることができる。
【００５４】
初心者のオペレータ乙も、甲と同じような設定を希望する場合は、制御装置３内の記憶部７に記憶された操作部４のマウス操作のパターンのパターンＢにかかる設定についての項目を設けることができる。一方で、初心者のオペレータ丙は所望により、マウスを上側に滑らした場合にはスライス画像１０のＷＷが狭くなり、マウスを下側に滑らした場合にはＷＷが広くなるような、設定を行うことができる。
【００５５】
すなわち、図８（ａ）に示したように、マウス１２を持った手１３を奥側（上側）に動かした場合は、スライス画像１０のＷＷが狭くなり、図８（ｂ）に示したように、手１３を手前側（下側）に動かした場合は、スライス画像１０のＷＷが広くなるように、マウス操作のパターン設定をする。そのために、制御装置３内の記憶部７に記憶された操作部４のマウス操作のパターンのパターンＣにかかる設定についての項目を設けることができる。
【００５６】
図４の表示部５において、アイコン１１の配列は、ＷＬを調整するアイコン１１ａ、ＷＷを調整するアイコン１１ｂ、ソーティングのアイコン１１ｃ、データを転送するためのアイコン１１ｄの順に表示部５の画面の上から並べて表示されている。これらのアイコンは、磁気共鳴イメージング装置１を操作する場合に、操作部４を操作するために必要な操作についての情報となる。
【００５７】
しかし、熟練者のオペレータ甲は、ソーティングのアイコン１１ｃやデータを転送するためのアイコン１１ｄを使用する頻度が高く、これらのアイコン１１ｃ，１１ｄが表示部５の上方に配列されていたほうが操作上都合の良い場合もある。
そこで、表示部５の表示態様の甲についてのパターンＸには、かかる配列を有するアイコンが表示されるような項目を設けることができる。すなわち、図９（ａ）に示したように被検体のスライス画像１０と、データを転送するアイコン１１ｄ，ソーティングのアイコン１１ｃ，ＷＷを調整するアイコン１１ｂ，ＷＬを調整するアイコン１１ａが上から順番に配列されているような表示部５の表示内容とすることができる。
【００５８】
さらに、初心者のオペレータ乙、丙は磁気共鳴イメージング装置１の扱いに慣れておらず、被検体の撮影のみできれば足り、ソーティングのアイコン１１ｃやデータを転送するためのアイコン１１ｄを操作する必要が無い場合もある。このとき、必要が無いソーティングのアイコン１１ｃやデータを転送するためのアイコン１１ｄも表示部５に表示されたままでは、表示部５に多数のアイコン１１が表示された状態となり、操作上混乱を招くような場合もある。
【００５９】
そこで、磁気共鳴イメージング装置１を操作する上で最低限必要な操作部４の情報である、ＷＬを調整するアイコン１１ａ及びＷＷを調整するアイコン１１ｂのみを表示部５に表示させるようにしてもよい。そのためには、表示部５の表示態様の乙、丙についてのパターンＹ，Ｚでは、アイコン１１ａ，１１ｂのみが表示されるような項目を設けることができる。すなわち、図９（ｂ）に示したように被検体のスライス画像１０と、ＷＬを調整するアイコン１１ａ，ＷＷを調整するアイコン１１ｂのみが配列されているような表示部５の表示内容とすることができる。
【００６０】
以上説明した通り、磁気共鳴イメージング装置１を操作するオペレータには熟練者の甲、初心者の乙、丙がいる。磁気共鳴イメージング装置１の操作は複雑であるため、初心者のオペレータ乙、丙にとっては、操作上迷いが生ずる場合もある。
【００６１】
そこで、磁気共鳴イメージング装置１を操作していく際に、表示部５にどのような操作を行うべきかを順次表示されるようにすることが望ましい場合もある。たとえば、図１０に示したように、表示部５の画面上に操作すべき事項ａ，事項ｂ，事項ｃ，事項ｄが表示されたメニュー１４ａ，１４ｂ，１４ｃ，１４ｄを順次画面の上側から表示させ、かつ、現在行うべき操作事項（ここでは事項ｃ）を強調するような表示をさせるようにする。現在行うべき操作事項が強調して表示されることで、初心者のオペレータ乙、丙であっても、操作上迷いが生じにくい。
【００６２】
そのためには、表示部５の表示態様の乙、丙についてのパターンＹ，Ｚには、表示部５に操作すべき事項ａ，事項ｂ，事項ｃ，事項ｄ等が表示され、かつ、現在行うべき操作事項が強調されるような項目を設けることができる。
【００６３】
より具体的には、例えば図１１に示したように、事項ａは「スライス位置指定」とし、事項ｂは「位置決めスキャン開始」とし、事項ｃは「スライス位置再指定」とし、事項ｄは「本スキャン開始」とした、メニュー１４ａ，１４ｂ，１４ｃ，１４ｄを表示部５に順次画面の上側から表示させるようにする。そして、磁気共鳴イメージング装置１の操作を開始すると、操作部４の操作の進行状況にしたがって、メニュー１４ａ，１４ｂ，１４ｃ，１４ｄの順番に強調されるようにし、オペレータが操作部４を操作する上でのアシストとなるようにする。
【００６４】
さらに、表示部５に操作すべき事項ａ，事項ｂ，事項ｃ，事項ｄを順次表示させるだけでなく、操作すべき事項が音声出力部８において音声出力されるようにすれば、さらに、初心者のオペレータ乙、丙にとって操作が行いやすい場合もある。
【００６５】
そこで、操作すべき事項が表示部５に表示されることに代えて、音声出力部８に音声出力されるようにしてもよい。もちろん、操作すべき事項が表示部５に表示されるとともに、音声出力部８において音声出力されるようにしても一層分かりやすい場合もある。
【００６６】
操作すべき事項を音声出力部８において音声出力させるようにするためには、図３に示した記憶部７に記憶されたデータの配列の横方向において、音声出力の有無を凡例として別途加える。そして例えば、乙、丙が操作すべき事項が音声出力されることを所望する場合は、音声出力の有無のパターンに、音声出力有とする項目を設ける。
【００６７】
制御装置３には、通信回線９が接続されており、制御装置３の記憶部７に記憶されたデータを他の磁気共鳴イメージング装置の制御装置や電子計算機に対して送受信することができる。かかる送受信は例えば、図４の表示部５に表示されているデータを転送するためのアイコン１１ｄ上にマウスのカーソルを持っていき、マウスのボタンを押すことにより行うことができる。
【００６８】
さらに、記憶部７に記憶されたデータを送受信する際の送受信先は、オペレータによって変更することができるようにする。データを送受信する際の送受信先の変更は、磁気共鳴イメージング装置の操作時に、操作部４のキーボードまたはマウスを操作することにより行うことができる。特に、磁気共鳴イメージング装置の設置されている病院の診察室の数が多い場合に、被検体の撮影部位に応じて診察室に設置された電子計算機を指定することができるようになる。これにより、診察室において撮影画像の照会を行いやすくなる。
【００６９】
以上、磁気共鳴イメージング装置１の熟練者のオペレータ甲と、初心者のオペレータ乙、丙とが存在する場合の具体的な実施態様につき説明をおこなった。
【００７０】
以上の通り、本発明の磁気共鳴イメージング装置では、操作方法をオペレータ毎に自由に変更させることができる。そのため、熟練者のオペレータも、初心者のオペレータも磁気共鳴イメージング装置を操作する上で、適した操作環境が提供される。これにより、オペレータは磁気共鳴イメージング装置を操作する上で、ストレスを少なくすることができる。
【図面の簡単な説明】
【００７１】
【図１】本発明の磁気共鳴イメージング装置を示したものである。
【図２】本発明の磁気共鳴イメージング装置を構成する機器の接続関係を示したものである。
【図３】本発明の磁気共鳴イメージング装置を構成する制御装置内の記憶部に記憶されたデータの配列を示したものである。
【図４】本発明の磁気共鳴イメージング装置を構成する表示部における表示内容を示したものである。
【図５】本発明の磁気共鳴イメージング装置を構成する表示部における表示内容を示したものである。
【図６】本発明の磁気共鳴イメージング装置を構成する表示部における表示内容を示したものである。
【図７】本発明の磁気共鳴イメージング装置を構成する表示部における表示内容を示したものである。
【図８】本発明の磁気共鳴イメージング装置を構成する表示部における表示内容を示したものである。
【図９】本発明の磁気共鳴イメージング装置を構成する表示部における表示内容を示したものである。
【図１０】本発明の磁気共鳴イメージング装置を構成する表示部における別の表示内容を示したものである。
【図１１】本発明の磁気共鳴イメージング装置を構成する表示部における別の表示内容を示したものである。
【符号の説明】
【００７２】
１…磁気共鳴イメージング装置，  ２…撮影装置本体，  ３…制御装置，  ４…操作部，  ５…表示部，  ６…演算部，  ７…記憶部，  ８…音声出力部，  ９…通信回線，  １０…スライス画像，  １１…アイコン，  １２…マウス，  １３…手，  １４…メニュー，  １０１…撮影室
【図１】
2008012116.tif 000003
【図２】
2008012116.tif 000004
【図３】
2008012116.tif 000005
【図４】
2008012116.tif 000006
【図５】
2008012116.tif 000007
【図６】
2008012116.tif 000008
【図７】
2008012116.tif 000009
【図８】
2008012116.tif 000010
【図９】
2008012116.tif 000011
【図１０】
2008012116.tif 000012
【図１１】
2008012116.tif 000013